Podtech/llm-jp-corpus-v4-ja_patent huggingface dataset:
(57)【要約】【課題】  草刈り作業の労力の軽減を計り、作業の効率を高める、楽な草刈り鎌を提供する。【解決手段】  巾を持つＬ字型の、その縦（首）の部分を傾斜させ、又、２、３ヶ所に穴（５）を形成し、横底辺部分の前後に刃（６）を形成した刃物（１）と、その刃物（１）の縦（首）の上部に、長い丸棒の柄（２）を設置し、これらに巾を持つ筒状で、筒状の中心部を空洞にしたローラー（３）に、中心棒（４）を用いて、中心部を通す状態にして一体化させ、草刈り作業を楽にし、作業の効率化を計ることを特徴とする、楽な草刈り鎌。【選択図】図１
2008173097.tif 000002
【特許請求の範囲】
【請求項１】
巾を持つＬ字型の、その縦（首）の部分を傾斜させ、又、２、３ヶ所に穴を形成し、横底辺部分の前後に刃を形成した刃物と、その刃物の縦（首）の上部に、長い丸棒の柄を設置し、これらに、巾を持つ筒状のローラーを、中心棒を用いてローラーの筒状の中心部の空洞に通す状態で一体化させることを特徴とする、楽な草刈り鎌。
【発明の詳細な説明】
【０００１】  本発明は、草刈り作業の労力を軽減し、作業の効率化を計る、楽な草刈り鎌に、関するものである。
【背景技術】
【０００２】  従来、草刈り鎌の柄の短いものは、腰を落とす姿勢のために、体にかかる負担が大きく、又片面の刃によるため、作業の効率も悪く、他方、柄の長いものは、刃を地面より、浮かしておくことも大変で、作業も重労働であった。
（現在では、モーター付きの機械もあるが、経費もかかり、環境等の問題点もある。）
【発明の開示】
【発明が解決しようとする課題】
【０００３】  そのために、次のような問題点があった。
腰を落とす姿勢のために、体にかかる負担が大きく、又片刃によるため、作業の効率も悪く、柄の長いものは、刃を地面より、浮かしておくことも大変であり、作業も重労働である。
【課題を解決するための手段】
【０００４】  巾を持つＬ字型の、その縦（首）の部分を傾斜させ、又２、３ヶ所に穴を形成し、横底辺部分の前後に刃を形成した刃物と、その刃物の縦（首）の上部に長い丸棒の柄を設置し、これらに巾を持つ筒状で筒状の中心部を空洞にしてあるローラーに、中心棒を用いて中心部を通す状態にして一体化させ、草刈り作業を楽にし、作業の効率を計ることを特徴とする、楽な草刈り鎌である。
【発明の効果】
【０００５】  本発明は、草刈り作業の労力を軽減し、作業の効率化を計る。
【発明を実施するための最良の形態】
【０００６】  以下、本発明の実施の形態を説明する。
（イ）主体である刃物（１）は刃物に適する素材で、巾を持つＬ字型に形成し、その縦（首）の部分を傾斜させ、又２、３ヶ所に穴（５）を形成する。
（ロ）柄（２）となる長い丸棒を、前記刃物（１）の縦（首）の上部に、取り付ける。
（ハ）巾を持つ筒状で、筒の中心部を空洞にしてあるローラー（３）に中心棒（４）を用いて、中心部を通す状態で、一体化させる。
本発明は、以上の構成より成っている。
本発明を使用するときは、地面の状態によって、刃物（１）の穴（５）を選択（例えば、地面が硬く平坦な場合は上の穴、地面が柔かくデコ、ボコの場合は下の穴を選択）し、中心棒（４）を用いてローラー（３）の中心部の空洞に通す状態にして一体化させる。
以上の形態により、刃物（１）の両刃（６）を地面より浮かし、刃物（１）の縦（首）の部分の傾斜が、両刃（６）を地面に対し、常に平行状態に保たせ、巾を持つローラー（３）と共に安定感を保ち、長い柄（２）によって立った姿勢となり、体にかかる負担を軽減し、又、柄（２）によってローラー（３）を回転させることで、両刃（６）を活用させ、作業の効率化を計る。
【図面の簡単な説明】
【０００７】
【図１】  本発明の実施例を示す斜視図
【図２】  本発明の実施例を示す持ち手側から見た正面図
【図３】  本発明の実施例を示す分解斜視図
【図４】  本発明の実施例を示す中心棒の断面図
【符号の説明】
【０００８】  １刃物（鎌）
２柄
３ローラー
４中心棒
５穴
６刃（両刃）
【図１】
2008173097.tif 000003
【図２】
2008173097.tif 000004
【図３】
2008173097.tif 000005
【図４】
2008173097.tif 000006
(57)【要約】【課題】美味しく骨ごと食べられる鯵等の魚類の開きの加工方法。【解決手段】鯵を開き、鱗と内蔵を取り除き、黒酢に浸漬し、加圧加熱処理することを特徴とする鯵の開きの加工方法。【特許請求の範囲】
【請求項１】
鯵等の魚類を旨み成分と栄養分を多く含む黒酢に浸漬し、それらの成分を浸透させることによる食味と栄養分を向上させることを特徴とする加工方法
【請求項２】
鯵等の魚類を黒酢に浸漬し、骨を柔らかくすることを特徴とする加工方法
【請求項３】
黒酢又は酢酸に浸漬した鯵等の魚類を０．１５Ｍｐａの圧力下で１３０℃で加圧過熱し、骨を柔らかくして、その後の焼く煮る等の調理をせず、そのまま食べられることを特徴とする加工方法
【発明の詳細な説明】
【技術分野】
【０００１】本発明は、骨ごと食べられる鯵等の魚類の開きの加工方法に関するものである
【背景技術】
【０００２】従来カルシュームの摂取量は、１日あたり１７〜１９歳で６５３ｍｇ、成人及び６０歳以上で６００ｍｇ、妊婦１０００ｍｇ、授乳婦１１００ｍｇといわれている。
薬品以外でカルシュウムを多く摂取するには、魚を骨ごと食べるのがもっとも効果が高いのであるが、従来、魚の骨は、ほとんど捨てられていた。
日常の食事の中でカルシュームを摂取するためには、日本人の毎朝の食卓に存在する鯵等の魚類の開きを骨ごと食すれば、自然に無理なくカルシュームを摂取でき効果が高いのであるが、現在このような魚類加工製品は、存在しない。
【発明の開示】
【発明が解決しようとする課題】
【０００３】高齢者等に鯵の開きを供する場合、身をほぐし、骨を除いて（鰺の姿が無くなる）供するため、鯵の姿のまま食べたいと言う強い要望がある。
カルシュームを補給し、また美味しい鯵等の魚類の開きを姿のまま食べたいと言う人々の強い要望に対応する課題があった。
本発明は、そこで、上記の問題を解決し、完成させたものである。
【課題を解決するための手段】
【０００４】鯵等の魚類の開きの旨み成分を増加して美味しくし、かつカルシュウム他の栄養成分を補充するため鯵等の魚類を黒酢に１時間浸漬する。
請求項１に対応（図１黒図に浸漬したものの旨み成分の変化）【０００５】酸処理及び０．１５Ｍｐａの圧力下で、１時間加圧加熱による台湾産鯵の骨の硬度を軟化させる。
請求項２及び３に対応（図２骨の硬さの変動）
【発明の効果】
【０００６】鯵等の魚類の開きをその姿のまま骨ごと美味しくたべられ、かつ、カルシュームの高い摂取も可能となった。
【発明を実施する最良の形態】
【０００７】原料は、骨中のカルシューム含有量が最も多い台湾東部海岸産の鯵とし本発明の加工方法で加工するのが最良の加工方法である。
図３
【００８】本発明による加工方法
１．腹側から鯵を開き内臓及び鱗を除去する。
２．きれいな冷水（２０℃以下が望ましい）で血液がなくなるまでよく洗浄する。
３．常温の黒酢に１時間浸漬する。
４．．１．５気圧の下で６０分加熱処理する。
５．日持を高めるためには、真空パックする。
図４
【図面の簡単な説明】
【０００９】
【図１】台湾産鯵を米酢及び黒酢に浸漬した物の成分の変化を比較したものである。
【図２】黒酢浸漬処理及び加圧加熱による台湾産の鯵の骨の硬さの変動を比較したものである。
【図３】台湾産と鹿児島県産の鯵のカルシューム他の含有量の比較表
【図４】本発明の加工工程を示す。
【図１】
2008173100.tif 000002
【図２】
2008173100.tif 000003
【図３】
2008173100.tif 000004
【図４】
2008173100.tif 000005
(57)【要約】【課題】本発明は、イタヤ貝からなる貝皿上に設けた魚肉部材上に、蒸しエビ、蒸しカニ肉及びギンナンを設け、外見の良さと美味を得ることを目的とする。【解決手段】本発明による海鮮イタヤ貝盛り食品は、イタヤ貝の貝片からなる貝皿(1)上に、肉厚を有して魚肉すり身からなる魚肉部材(4)を設け、この魚肉部材(4)上に蒸しエビ(10)、蒸しカニ肉(11)及びギンナン(12)を配設した構成である。【選択図】図１
2008173078.tif 000002
【特許請求の範囲】
【請求項１】
イタヤ貝の一対の貝片のうち一方の貝片からなる貝皿(1)と、前記貝皿(1)の内面(1a)上に肉厚を有して延設され魚肉すり身からなる魚肉部材(4)と、前記魚肉部材(4)上に設けられた蒸しエビ(10)、ギンナン(12)及び棒状の蒸しカニ肉(11)とを備え、
前記魚肉部材(4)上における前記蒸しエビ(10)、ギンナン(12)及び蒸しカニ肉(11)で囲まれた領域には、前記魚肉部材(4)が配設されていることを特徴とする海鮮イタヤ貝盛り食品。
【請求項２】
前記魚肉部材(4)は、イトヨリダイの肉からなることを特徴とする請求項１記載の海鮮イタヤ貝盛り食品。
【請求項３】
前記魚肉部材(4)には、野菜が混入されていることを特徴とする請求項１又は２記載の海鮮イタヤ貝盛り食品。
【請求項４】
前記野菜は、にんじん、たまねぎ、いんげんの何れか１つ又は全部よりなることを特徴とする請求項３記載の海鮮イタヤ貝盛り食品。
【発明の詳細な説明】
【技術分野】
【０００１】
本発明は、海鮮イタヤ貝盛り食品に関し、特に、イタヤ貝の一方の貝片を貝皿とし、この貝皿上に、魚肉すり身からなる魚肉部材を設け、この魚肉部材上にエビ、ギンナン及びカニ肉を載せ、外見が美しく、かつ、味も極めて美味とするための新規な改良に関する。
【背景技術】
【０００２】
従来、用いられていたこの種の盛り食品としては、特許出願を行っていないため、特に、特許文献等は開示していないが、例えば、カニのカラを皿として用い、この皿の中にグラタン等の魚肉等を有する材料が充填され、蒸すことによってカニ食品等が構成されていた。
【発明の開示】
【発明が解決しようとする課題】
【０００３】
従来の盛り食品は、以上のように構成されていたため、次のような課題が存在していた。
すなわち、カニのカラを皿として用いて、この皿の中にグラタンを入れただけの構成であるため、海鮮の魚貝類を組合わせることが難しく、外見も美しくすることは困難であった。
【課題を解決するための手段】
【０００４】
本発明による海鮮イタヤ貝盛り食品は、イタヤ貝の一対の貝片のうち一方の貝片からなる貝皿と、前記貝皿の内面上に肉厚を有して延設され魚肉すり身からなる魚肉部材と、前記魚肉部材上に設けられた蒸しエビ、ギンナン及び棒状の蒸しカニ肉とを備え、前記魚肉部材上における前記蒸しエビ、ギンナン及び蒸しカニ肉で囲まれた領域には、前記魚肉部材が配設されている構成であり、また、前記魚肉部材は、イトヨリダイの肉からなる構成であり、また、前記魚肉部材には、野菜が混入されている構成であり、また、前記野菜は、にんじん、たまねぎ、いんげんの何れか１つ又は全部よりなる構成である。
【発明の効果】
【０００５】
本発明による海鮮イタヤ貝盛り食品は、以上のように構成されているため、次のような効果を得ることができる。
すなわち、イタヤ貝の一方の貝片からなる貝皿上に、魚肉すり身からなる魚肉部材を肉厚を有して設け、この上に蒸しエビ、ギンナン及び棒状の蒸しカニ肉を設けているため、合計で少なくとも４種類の食材を盛り付けることができ、素材の良さを利用した美味を得ると共に、すり身のピンク、エビの赤、カニの赤及びギンナンの黄色の組合わせにより、極めて美しい色彩を得ることができ、色彩による食品としてのおいしさ感及び目をひきつける作用を得ることができる。
【０００６】
また、貝皿上にのせたすり身は、エビ、ギンナン及びカニ肉を配置する際の接着剤としての作用を得ることができ、このすり身によって、これらの各食材を貝皿上に付着させ、商品として搬送する場合も各食材の貝皿からの落下を防止することができる。
【０００７】
また、貝皿の内面に形成された多数のしわ状の線模様の一部が残るため、各食材を一層引き立てることができる。
【０００８】
また、すり身には、複数の野菜が混入されているため、極めて健康指向の強い食品を得ることができる。
【発明を実施するための最良の形態】
【０００９】
本発明は、イタヤ貝の一方の貝片を貝皿とし、この貝皿上に、魚肉すり身からなる魚肉部材を設け、この魚肉部材上にエビ、ギンナン及びカニ肉を載せ、外見が美しく、かつ、味も極めて美味とした海鮮イタヤ貝盛り食品を提供することを目的とする。
【実施例】
【００１０】
以下、図面と共に本発明による海鮮イタヤ貝盛り食品の好適な実施の形態について説明する。
図１及び図２において符号１で示されるものは、貝柱を有するホタテ貝からなるイタヤ貝の一対の貝片のうち一方の貝片を用いてなる貝皿であり、この貝皿１は全体形状が偏平円形状をなすと共に、その内面１ａには、ほぼ放射状に形成された多数のしわによる線模様２が形成されている。
また、この貝皿１の周縁の一部には、ほぼ長方形をなす舌片３が一体に形成されている。
【００１１】
前記貝皿１の内面１ａ上には、いとよりだい等からなる魚肉すり身で構成された生の魚肉部材４が、所要の肉厚を有するようにぬる状態で延設されている。
前述の生状態の前記魚肉部材４上には、蒸しエビ１０、棒状のカニの足を蒸してカラを除去して形成した蒸しカニ肉１１及びギンナン１２が互いに輪状となるように、一部を埋め込む状態で設けられている。
【００１２】
前記蒸しエビ１０、蒸しカニ肉１１及びギンナン１２は、各々、あざやかな赤色（朱色）及び黄色で形成されていると共に、これらの蒸しエビ１０、蒸しカニ肉１１及びギンナン１２によって囲まれた領域２０には前記魚肉部材４が配設されている。
【００１３】
前記魚肉部材４には、にんじん、たまねぎ、いんげんの何れか１つ又は全部よりなる野菜が、みじん切り状として混入されており、魚肉部材４を健康指向の強い材質に仕立てている。
尚、前記魚肉部材４は生肉ですり身であるため、貝皿１の内面１ａに付着しやすく、かつ、蒸しエビ１０等にも付着しやすく、蒸しエビ１０等の各食材を貝皿１に設けるための接着材の作用も有している。
【図面の簡単な説明】
【００１４】
【図１】本発明による海鮮イタヤ貝盛り食品を示す平面図である。
【図２】図１のＡ−Ａ’断面図である。
【符号の説明】
【００１５】
１    貝皿
２    線模様
３    舌片
４    魚肉部材
１０    蒸しエビ
１１    蒸しカニ肉
１２    ギンナン
２０    領域
【図１】
2008173078.tif 000003
【図２】
2008173078.tif 000004
(57)【要約】【課題】毛筆上達のため、見本、下敷きを汚すことなくなぞり書きができ、見本を何度でも使用可能にするために見本が透けて見えてかつ墨をはじく素材を開発し、これを利用した書道用下敷きを提供する。【解決手段】従来の書道用下敷きと同等のフェルト地基布とカバー布の一辺を縫合しその間に見本を挟み込む方法を取る。カバー布には挟み込んだ見本がはっきり見えるよう透け感のあるポリエステル糸を使用した布を開発した。更に撥水加工を施しカバー布、見本に墨が移染しないようにした。【選択図】図１
2008173844.tif 000002
【特許請求の範囲】
【請求項１】
単糸デニールが１〜３デニールで、繊度３０〜７５デニールのポリエステルフィラメント糸に１８００〜３０００Ｔ／Ｍの撚りを入れ経糸および緯糸に用いて製織し、経糸および緯糸方向のカバーファクターの和が１４００以下で、透け感が強く、更に撥水性を有することを特徴とする半透明状撥水布。
【請求項２】
請求項１記載の半透明状撥水布からなるカバー布と、フェルト地からなる基布の一辺を縫合し、カバー布と基布の間に見本を配置し、カバー布の上に練習用紙を置いて透けて見える見本をなぞって書くことができ、且つ見本も下敷きも墨で汚れない書道用下敷き。
【発明の詳細な説明】
【技術分野】
【０００１】
本発明は、見本を墨で汚すことなく見本のなぞり書きができる毛筆上達のための書道用下敷き、およびその構成素材に関する。
【背景技術】
【０００２】
習字の練習や書写では見本を真似て書くのが一般的であるが、通常、見本は練習用紙の側方又は上方に配置するため見本を見る度視線が動きその都度筆の動きが止まる傾向が多い。そのため毛筆の上達に必要な潤滑な筆の運びは習得し難い。見本を練習用紙の下に配置しなぞって書けばこの問題は解決できるが、筆からの墨汁が練習用紙を染み通して見本が墨で汚れるという不都合が生じる。
【０００３】
これを解決する手段として、特許文献１では薄手の樹脂製のネットを見本の上に置くことにより見本に墨が付くことを防ごうとしている。
しかしこの方法では、樹脂製のネットに墨が付着することを避けられないので、作品が汚れたり、筆に付けた墨の量が多い場合には墨がネットを通過して見本が汚れたりするという問題があった。
【０００４】
特許文献２では、樹脂製の透明シートを見本の上に置くことにより見本に墨が付くことを防ごうとしている。
しかしこの方法では、樹脂製の透明シートに墨が付着することを避けられず、かつ墨の量が多い場合には、半紙と透明シートの間に墨が溜まり、その後毛細管現象で半紙上に墨が広がるので、文字が必要以上に滲んでしまう。
【０００５】
特許文献３では、見本の上に樹脂製の透明シートを置き、さらにその上に樹脂製のネットを置くことにより見本に墨が付くことを防ごうとしている。
しかしこの方法でも、樹脂製のネットに墨が付着するので作品が汚れるし、ネットを通った墨が透明シートに付着するので、拭き取ったり洗浄したりしなければならないという問題がある。
【特許文献１】特開昭５６−８４９９６
【特許文献２】特開２００１−８３８６９
【特許文献３】特開２０００−１１８１９１
【発明の開示】
【発明が解決しようとする課題】
【０００６】
見本を練習用紙の下に配置しなぞって書くことができ、かつ従来のように見本が墨で汚れることのない書道用下敷きを提供することある。
【課題を解決するための手段】
【０００７】
即ち本発明はかかる問題点を解決するため開発された、単糸デニールが１〜３デニールで、撚数１８００〜３０００Ｔ／Ｍの３０〜７５デニールのポリエステルフィラメント糸を経糸および緯糸に用いて製織し、経糸および緯糸方向のカバーファクターの和が１４００以下で、透け感が強く、更に撥水性を有することを特徴とする半透明状撥水布である。
【０００８】
即ち本発明は上記記載の半透明状撥水布からなるカバー布と、フェルト地からなる基布の一辺を縫合し、カバー布と基布の間に見本を配置し、カバー布の上に練習用紙を置いて透けて見える見本をなぞって書くことができ、且つ見本も下敷きも墨で汚れないことを特徴とする書道用下敷きである。
【発明の効果】
【０００９】
本発明の書道書写下敷きは、練習用紙と見本の間に本発明の半透明状撥水布からなるカバー布が介在することによって見本を汚さずになぞり書きができ、見本は何度でも使用可能である。カバー布自体も撥水効果により墨で汚れることはない。またこのカバー布とフェルト地基布は一辺が縫合されて一体化されているので、書道の上達を促進する機能と、従来の書道用下敷きの機能を併せ持っているのが大きな特長である。
【発明を実施するための最良の形態】
【００１０】
練習用紙の下に見本を配置しなぞり書きしても見本を墨で汚さないという目的を、最適な素材、加工法を開発し、その素材からなる従来にない全く新しい機能、構造を持った書道用下敷きを考案することによって実現した。
【００１１】
経、緯糸共に単糸１．０４デニール、繊度５０デニール／４８フィラメントの原糸を使用。
【００１２】
上記原糸は、製品時の形状の安定性、耐久性を持たせるためポリエステル１００パーセントとした。
【００１３】
生地の表面に微細な凹凸感をつけ練習用紙および見本と下敷きの接地面積を小さくし墨を移染し難くするため、上記原糸に２５００Ｔ／Ｍの撚りを入れた。
【００１４】
透け感をだすため、糸密度は経９５、緯７７とし、経糸および緯糸方向のカバーファクターの和は１２１６である。カバーファクターの計算式は、インチあたり糸本数×√Ｄ（Ｄはデニール）で数値が小さいほど透け感が強い。
【００１５】
上記条件にて製織したカバー布原反に墨の移染防止のため撥水度（ＪＩＳＬ１０９２）初期４級、洗濯３０回後４級の撥水加工を施す。
【００１６】
カバー布原反は生地に張りを持たせるため加工時に固め剤を付与する。
【００１７】
第一表において本発明と他織物４種の特性値を示す。芯地は強い透け感があるが目よれを起こし易く安定性、耐久性に欠けるため不適性である。
【００１８】
【表１】
2008173844.tif 000003
【００１９】
本発明の半透明状撥水布を裁断し四辺の縁取り縫製をする。更に同寸法のフェルト地基布と一辺で縫合し一体化する。
【図面の簡単な説明】
【００２０】
【図１】本発明の書道書写下敷きの構造を表す斜視図で見本を挟みこむ状態である。
【図２】本発明の書道書写下敷きに見本を挟み、上に練習用紙を置いた状態の図である。
【符号の説明】
【００２１】
１    カバー布
１ａ  カバー布縁取り  
２    フェルト地基布
３    縫合部分
４    見本
【図１】
2008173844.tif 000004
【図２】
2008173844.tif 000005
(57)【要約】【課題】従来は、コップとポーション型容器のミルクやシロップなどは、別々の手に持って運んでいたため、１杯分を持つだけで両手が塞がってしまい不便であった。【解決手段】コップ１の縁にフック２を掛け、フック２の末端に設けられたリング状の収納部３に、ポーション型容器のミルク４とシロップ５の上蓋を引っ掛けて収納する。【選択図】  図２
2008173215.tif 000002
【特許請求の範囲】
【請求項１】
フック末端に設けた収納部に、ポーション型容器のミルクやシロップなどを収納して、コップと同時に運ぶ事のできるポーションホルダー。
【請求項２】
前記収納部を、フック末端に複数箇所設けたことを特徴とする、請求項１記載のポーションホルダー。
【請求項３】
前記収納部はリング状であることを特徴とする、請求項１記載のポーションホルダー。
【発明の詳細な説明】
【技術分野】
【０００１】
本発明は、コップとポーション型容器のミルクやシロップなどを、片手で同時に運べるようにしたポーションホルダーに関するものである。
【背景技術】
【０００２】
従来は、コップとポーション型容器のミルクやシロップなどは、別々の手に持つか、トレーを使用して運んでいた。
【発明の開示】
【発明が解決しようとする課題】
【０００３】
しかしながら、以上の技術によれば、片手にコップ、片手にポーション型容器のミルクやシロップなどを持たなければならず、１杯分を運ぶだけで両手が塞がってしまい不便であった。
【０００４】
レストランなどのドリンクバーを複数人で利用する際には、トレーが置かれていない場合が多いため、自分のついでに同席者のドリンクを運んでくるという行為が、ポーション型容器の持ちにくさによって阻まれる。
【０００５】
そこでこの発明は、トレーがなくても、片手でコップ、ポーション型容器のミルクやシロップなどを容易に持ち、両手で２杯分以上を運ぶことを課題とする。
【課題を解決するための手段】
【０００６】
以上の課題を解決するために、第一発明は、コップの縁にフックを掛け、フック末端に設けた収納部にポーション型容器のミルクやシロップなどを収納して、同時に運ぶことを特徴とするポーションホルダーである。
第二発明は、フック末端に複数箇所の収納部を設けることにより、ポーション型容器のミルクやシロップなどを一度に複数個収納して、コップと同時に運ぶことを特徴とするポーションホルダーである。
第三発明は、収納部がリング状であり、ポーション型容器の上蓋を引っ掛けて運ぶことを特徴とするポーションホルダーである。
【発明の効果】
【０００７】
（Ａ）第一発明によれば、コップとポーション型容器のミルクやシロップなどを、片手で同時に運ぶことができる。
（Ｂ）第二発明によれば、コップとポーション型容器のミルクやシロップなどを複数個、片手で同時に運ぶことができる。
（Ｃ）第三発明によれば、リング状の収納部に、ポーション型容器の上蓋を引っ掛けて運ぶことができる。
（Ｄ）素材次第では、低コスト大量生産が可能である。
（Ｅ）レストランなどのドリンクバーで、ストローやミルク、シロップなどと並べて場所を取らずに置くことができるため、来客へのサービスに適している。
【発明を実施するための最良の形態】
【０００８】
この発明の斜視図を図１に、実施形態を図２に示す。
コップ１の縁にフック２を掛け、フック２の末端に２箇所設けられたリング状の収納部３に、ポーション型容器のミルク４とシロップ５の上蓋を引っ掛けて収納する。
【０００９】
「実施形態の効果」
この実施形態によれば、コップ１の縁にフック２を掛け、リング状の収納部３に、ポーション型容器の上蓋を引っ掛けて収納する、という容易な手順で、コップ１と、ポーション型容器のミルク４とシロップ５を、片手で同時に持つことができる。
これを両手にそれぞれ持てば、コップ２杯と、ポーション型容器のミルク、シロップ各２個ずつの合計４個を、一度に同時に持つことができる。
【００１０】
「他の実施形態」
（イ）図２の実施形態では、ポーション型容器の収納部３は、複数が横に並んだものだが、他の実施形態では、ポーション型容器の収納部３は、複数が縦に並んだもの（図３）でも良い。
（ロ）図２の実施形態では、ポーション型容器の収納部３は２箇所だが、他の実施形態では、ポーション型容器の収納部３は、１箇所あるいは３箇所以上（図４）でも良い。
（ハ）図２の実施形態では、ポーション型容器の収納部３は円形のリング状であるが、他の実施形態では、ポーション型容器の収納部３は、ポーション型容器の上蓋を引っ掛けられる別の形（図５）でも良い。
【図面の簡単な説明】
【００１１】
【図１】本発明の斜視図である。
【図２】本発明の一実施形態を示す斜視図である。
【図３】本発明の他の実施形態（イ）を示す斜視図である。
【図４】本発明の他の実施形態（ロ）を示す斜視図である。
【図５】本発明の他の実施形態（ハ）を示す斜視図である。
【符号の説明】
【００１２】
１  コップ
２  フック
３  収納部
４  ミルク
５  シロップ
【図１】
2008173215.tif 000003
【図２】
2008173215.tif 000004
【図３】
2008173215.tif 000005
【図４】
2008173215.tif 000006
【図５】
2008173215.tif 000007
(57)【要約】【課題】従来の床暖房、電気カーペットはヒータ全体で温度制御するために低温やけどをする可能性が大きい。【解決手段】床暖房、電気カーペットのヒーター部分を個別に温度制御する。【考案の効果】低温やけどをする可能性が小さい。カーボンの脱臭効果があり、電磁波がほとんど発生しない。【選択図】図１
2008159558.tif 000002
【特許請求の範囲】
【請求項１】
抵抗値を持つ素材の両端に電極を持ち、抵抗値を持つ素材に電流を流すことで発熱するヒータにおいて、発熱量の違う二つ以上の上記ヒータと温度が上昇すると抵抗値が上昇するサーミスタを持ち、発熱量の違う二つ以上の上記ヒータの電極から電極までの抵抗値の合計を、温度が上昇すると抵抗値が上昇するサーミスタで発熱量の違う二つ以上の上記ヒータの電極から電極までの抵抗値の合計を電源と上記ヒータの電気回路で切り替えることで温度制御するヒータを二つ以上持って個別に温度制御するヒータ
【請求項２】
請求項１記載のヒータの素材がカーボンである請求項１記載のヒータ
【請求項３】
請求項１記載のヒータの素材がセラミックである請求項１記載のヒータ
【請求項４】
請求項１記載のヒータの形状がシート状の請求項１記載のヒータ
【請求項５】
低温度やけどを引き起こす温度を超えた場合に上記温度制御手段を持つ請求項１記載のヒータ
【請求項６】
請求項１記載のヒータで構成する部品が燃焼または有毒ガスが発生する場合に上記温度制御手段を持つ追加した請求項１記載のヒータ
【請求項７】
請求項１記載のヒータの設定温度を電圧制御で行う請求項１記載のヒータ
【請求項８】
請求項１記載のヒータの設定温度を電流制御で行う請求項１記載のヒータ
【発明の詳細な説明】
【技術分野】
【０００１】本発明は温度が上昇すると抵抗値が上昇するサーミスタで温度を検知し、発熱量の違う二つ以上のヒータで温度制御する手段持つ二つ以上のヒータを持つヒータに関する。
【背景技術】
【０００２】従来のヒータはサーミスタで温度を検知しヒータに流れる電流又はヒータに流れる電流の時間を変えてヒータ全体の温度制御している。
【発明の開示】
【発明が解決しようとする課題】
【０００３】カーボンシートを使ったヒータは数秒以内で温度上昇するため、空気の流れによる放熱が妨げた場合に急激な温度上昇が起きる。また、ヒータの一部を暖められた空気を閉じ込めた状態にした場合に急激に温度上昇し、人体の低温やけど、ヒータ周辺の物の発火、発煙が起きてしまう。
従来のヒータを利用した床暖房、電気カーペットはヒータに流れる電流又はヒータに流れる電流の時間を変えて全体の温度制御しているため、ヒータの一部分の温度制御ができないため、暑かったり寒かったり不快感を感じる。【０００４】従来のヒータはヒータ全体での温度制御しているため、人体に影響するヒータの一部分の温度制御ができないため、人体に対して快適な温度制御ができない。
【課題を解決するための手段】
【０００５】ヒータ全体の温度制御をすることではなく、ヒータの一部分を個別に温度制御するために温度制御用電子回路を使わず、サーミスタで発熱量の違う二つ以上のヒータの電流をオン、オフして温度制御して人体の低温やけど、ヒータ周辺の物の発火、発煙を防止する。
【発明の効果】  ヒータの一部分を個別に温度制御できるため、ヒータの人体の低温やけど、ヒータ周辺の物の発火、発煙を防止できる。ヒータがカーボンシートの素材の場合はカーボンシートの脱臭効果があり、磁束線が１本で電磁波がほとんどない。
【考案を実地するための最良の形態】
【０００６】カーボンシートの両端に電極を付けたヒータに、幅が同じで長さが違う二つ以上のヒータを直列に接続し、長さの短いヒータを温度が上昇すると抵抗値が上昇するサーミスタでヒータ周辺の温度を検知し、長さの短いサーミスタに電流が流す、流さないでサーミスタ周辺の温度制御をする。上記ヒータを二つ以上で構成し、ヒータ全体から見た部分的な温度上昇により温度制御し低温やけどを防止する。人がヒータ全体の温度を設定するために上記ヒータにかかる電流を制御できる電気回路をこの発明とは別に温度設定機能を付加する。
【図面の簡単な説明】
【図１】本考案の構造図
【符号の説明】
１    電源
２    電極
３    発熱量の違う二つ以上の上記ヒータ
４    温度が上昇すると抵抗値が上昇するサーミスタ
【図１】
2008159558.tif 000003
(57)【要約】【課題】電池のセルから伸びる金属タブ同士を電気コネクタで接続するために特にアルミタブの端面処理に関するものである。【解決手段】規定の幅と長さのアルミタブ（１）の一端の表面をニッケル表面処理し設ける、若しくは概略板状のニッケル製の接続板（２）を半田やスポット溶接や超音波溶接等により接続して設けることを特徴とする電池用接続タブ。以上を特徴とする。【選択図】図１
2008159555.tif 000002
【特許請求の範囲】
【請求項１】
規定の幅と長さのアルミタブ（１）の一端の表面をニッケル表面処理し設ける、若しくは概略板状のニッケル製の接続板（２）を半田やスポット溶接や超音波溶接等により接続して設けることを特徴とする電池用接続ケーブル。
【請求項２】
ニッケル表面処理以外の例えば金メッキ処理を施した請求項１の電池用接続ケーブル。
【発明の詳細な説明】
【技術分野】
【０００１】この発明は、積層された電池の各セルの電極から引き出された金属タブにおいて特にアルミとニッケルのタブを直に接続したりコネクタを用いて互いに接続する場合においてアルミ製タブの表面処理に関するものである。
【背景技術】
【０００２】従来、異種金属のタブ同士を接続する方法は、タブには特別な表面処理を施さず超音波溶接やスポット溶接を用いておこなっていた。
【発明の開示】
【発明が解決しようとする課題】
【０００３】そのためには次のような問題点があった。
金属タブをスポット溶接や超音波を用いて直に接続する方法は作業対象のタブが短く狭い場所での作業となり、作業性、しいては接続信頼性に問題が有った。
本発明はこれらの問題点を解決するためになされたものである。
【課題を解決するための手段】
【０００４】二種類の異なる電極から伸びた通常ニッケルとアルミのタブの組み合わせにおいて、特にアルミタブの表面をいろいろな方法によりニッケルにより覆うことにより電気コネクタとの端子や互いに直に接続する。
以上を特徴とする電池用接続タブ。
【発明の効果】
【０００５】（ア）アルミの一部の表面をニッケルにて覆うために作業に必要な空間が少ない電気コネクタによる接続が可能となり作業性、および信頼性の高い接続が可能とする。
（イ）初めからアルミの一部をニッケルにて覆ったタブを用いて電池のセルを組み立てるため積層した後のコネクタとの接続作業が容易に行うことができる。
（ウ）ニッケルにて覆われたタブをニッケルメッキを施したコネクタにて接続することは、通常身近に見られる電池ケースに用いられているメッキ条件と同じであるため、メッキの耐環境信頼性が高い。
（エ）本案を用いて処理されたアルミタブとニッケルタブをスポット溶接などにより直に接続する場合、作業性の良い条件でニッケル処理を施されたアルミタブの表面は信頼性が高いため、この後の作業性の悪い条件下においてもニッケル対ニッケルの接続であるため接続信頼性を落とさずに接続が可能となる。
【発明を実施するための最良の形態】
【０００６】以下に本発明の実施の形態について図を用いて説明する。
（イ）規定の幅と長さのアルミタブ（１）の一端にニッケル表面処理を施す、若しくはニッケル製の概略板状の接続板（２）を半田やスポット溶接や超音波溶接等により接続して設ける。
本発明は以上の構成で本案を使用の場合は隣接した各セル（７）から伸びるニッケル製の金属タブ１（３）及び接続板（２）を繋いだ金属タブ２（４）をほぼ中央に位置する電気コネクタ（５）の挿入口（６）に挿入し接続をおこなったり、直に溶接等により電気接続をおこなう。
この際ニッケルタブの素材は銅もしくは銅合金の場合でも構わない。又接続板はアルミタブの内部に埋め込む形態やメッキによる方法でも構わない。
またニッケルメッキ以外例えば金メッキでも構わない。
【図面の簡単な説明】
【０００７】
【図１】本発明の斜視図である。
【図２】本発明の埋め込みタイプの斜視図である。
【図３】本発明のメッキ処理したタイプの斜視図である。
【図４】本発明のコネクタに組み込まれた斜視図である。
【図５】本発明の直に接続されたタイプの斜視図である。
【図６】本発明のコネクタに組み込まれた斜視図である。
【符号の説明】
【０００８】１  アルミタブ
２  接続板
３  金属タブ１
４  金属タブ２
５  電気コネクタ
６  挿入口
７  セル
【図１】
2008159555.tif 000003
【図２】
2008159555.tif 000004
【図３】
2008159555.tif 000005
【図４】
2008159555.tif 000006
【図５】
2008159555.tif 000007
【図６】
2008159555.tif 000008
(57)【要約】【課題】レンズ３によって光源１の配光を制御する照明器具において、光源１からの光をできるだけ広範囲に広げるための構成を提案する。【解決手段】ＬＥＤチップのような光源１と、この光源１を搭載した基板２と、光源１からの光を制御する錐状のレンズ３と、それらを収納する筐体４からなる照明器具であって、光源１の発光部中心と錐状のレンズ３の中心軸は略一致している。錐状のレンズ３は円錐状としても良いし、角錐状としても構わないが、光源１の発光面と水平なレンズ３の断面形状を光源１の発光部形状と相似形状とする。【選択図】図１
2008159435.tif 000002
【特許請求の範囲】
【請求項１】
光源と光源の配光を制御するレンズとを備える照明器具において、レンズの形状を錐状としたことを特徴とする照明器具。
【請求項２】
請求項１において、光源の発光面と水平なレンズの断面形状を光源の発光部形状と相似形状としたことを特徴とする照明器具。
【発明の詳細な説明】
【技術分野】
【０００１】
本発明は、レンズによって光源の配光を制御する照明器具に関するものである。
【背景技術】
【０００２】
従来の照明器具の構成の一例を図３、図４に示す。いずれもＬＥＤチップのような光源１と、この光源１を搭載した基板２と、光源１からの光を制御するレンズ３と、それらを収納する筐体４からなる。
【０００３】
図３に示す従来例１のレンズでは、曲面部での全反射を利用して配光の広がりを制御している。
【０００４】
図４に示す従来例２のレンズでは、屈折した透過光により光を制御している。特許文献１には、図４に示すように、砲弾状のレンズ３をＬＥＤチップ（光源１）の前面に配置した照明器具が開示されている。
【特許文献１】特開２００５−１９６９８３号公報
【発明の開示】
【発明が解決しようとする課題】
【０００５】
従来例１（図３）の形状では、曲面部での全反射を利用して光を制御しており、広範囲に光を広げようとした場合に曲面部を高く設定する必要があるために、レンズ全体の大きさが大きくなってしまう。
【０００６】
特許文献１に例示されるような従来例２（図４）の形状では、光が光軸方向へ集まりやすくなるため、広がる方向の光は少なくなる。
【０００７】
本発明は、光源からの光をできるだけ広範囲に広げるためのレンズ形状を有する照明器具を提供することを目的とする。
【課題を解決するための手段】
【０００８】
請求項１の発明は、上記の課題を解決するために、図１、図２に示すように、光源１と光源の配光を制御するレンズ３とを備える照明器具において、レンズ３の形状を錐状としたことを特徴とするものである。
【０００９】
ここで、錐状のレンズ３は円錐状としても良いし、角錐状としても構わない。
【００１０】
請求項２の発明は、請求項１の照明器具において、光源１の発光面と水平なレンズ３の断面形状を光源１の発光部形状と相似形状としたことを特徴とする。
【発明の効果】
【００１１】
本発明によれば、より広範囲の配光形状にするのにレンズ部の寸法を小さくすることができ、その結果、照明器具としての寸法も抑えられ、器具製造上、意匠上、優位とすることができる。
【発明を実施するための最良の形態】
【００１２】
（実施形態１）
本発明の実施形態１の全体構成を図１に示す。本発明の照明器具は、ＬＥＤチップのような光源１と、この光源１を搭載した基板２と、光源１からの光を制御する錐状のレンズ３と、それらを収納する筐体４からなる。筐体４の内面と基板２の間の空間は充填材５で充填しても良い。充填材５は透明樹脂などで構成される。光源１の発光部中心と錐状のレンズ３の中心軸は略一致している。
【００１３】
本実施形態では、レンズ３は円錐形状で形成し、円錐部３ａの斜面の角度は、光源１からの光が全反射するように設定し、光源１が鉛直下方向に向けて配置されているとき、水平方向へ光を射出するように構成する。円錐形状の周縁部３ｂは光源１からの光が透過光として射出されるように水平面もしくは曲面で形成し、鉛直下方向へも光を射出するように設定する。
【００１４】
なお、錐状のレンズ３は、円錐状に限らず角錐状であっても良い。また、レンズ３は筐体４と一体化しても構わない。
【００１５】
（実施形態２）
本発明の実施形態２を図２に示す。レンズ３の形状として、前述の実施形態１では円錐形状を例に挙げており、光源１の発光部形状（破線で示す）が円状の場合はレンズ３を円錐状にすると光が均一となる。一方、光源１の発光部形状が図２に示すように四角などの形状の場合は、レンズ３の形状もそれに合わせた相似形状（角錐状など）とすれば、光の水平断面方向の照射パターンはより均一になる。
【００１６】
本実施形態では、レンズ３は四角錐形状で形成し、角錐部３ｃの斜面の角度は、光源１からの光が全反射するように設定し、光源１が鉛直下方向に向けて配置されているとき、水平方向へ光を射出するように構成する。四角錐形状の周縁部３ｂは光源１からの光が透過光として射出されるように水平面もしくは曲面で形成し、鉛直下方向へも光を射出するように設定する。
【００１７】
実施形態１，２では、光源１がＬＥＤチップ１個で構成されている場合を例示したが、複数個のＬＥＤチップが配置されていても構わない。また、ＬＥＤ以外の光源を用いても構わない。
【図面の簡単な説明】
【００１８】
【図１】本発明の実施形態１を示す図であり、（ａ）は全体構成を示す縦断面図、（ｂ）は光射出部の構成を示す下面図である。
【図２】本発明の実施形態２を示す図であり、（ａ）は全体構成を示す縦断面図、（ｂ）は光射出部の構成を示す下面図である。
【図３】従来例１の概略構成を示す縦断面図である。
【図４】従来例２の概略構成を示す縦断面図である。
【符号の説明】
【００１９】
１  光源
２  基板
３  レンズ
４  筐体
【図１】
2008159435.tif 000003
【図２】
2008159435.tif 000004
【図３】
2008159435.tif 000005
【図４】
2008159435.tif 000006
(57)【要約】【課題】  インターネットを介して書籍を閲覧する場合に、Ｗｅｂページに書籍の情報を効率的に表示するとともに、顧客が実際の書店で書籍を閲覧しているような臨場感を与える。【解決手段】  １Ｗｅｂページに書籍の情報を掲載する場合に、３書籍の背（せ）の画像を並べて、実際の書店のように配置し、１Ｗｅｂページに表示する。書籍の背の画像部分にカーソルを合わすと、５書籍のタイトル、著者、価格を含む情報が表示され、書籍の背の部分にカーソルを合わせクリックすると、該当する６  書籍の表紙画像、書籍のタイトル、著者、価格及びその他本の詳細を説明する情報が表示され、購入する手続きが可能なＷｅｂページに移動する。【選択図】図１
2008159011.tif 000002
【特許請求の範囲】
【請求項１】
Ｗｅｂページに書籍の情報を掲載する場合に、書籍の背（せ）の画像を並べて、実際の書店のように配置し、Ｗｅｂページに表示する。書籍の背の画像部分にカーソルを合わすと、書籍のタイトル、著者、価格を含む情報が表示され、書籍の背の部分にカーソルを合わせクリックすると、該当する書籍の表紙画像、書籍のタイトル、著者、価格及びその他本の詳細を説明する情報が表示され、購入する手続きが可能なＷｅｂページに移動する書籍の閲覧方法。
【請求項２】
請求項１を実現させるための、Ｗｅｂページを作成する手段。
【発明の詳細な説明】
【技術分野】
【０００１】  本発明は、顧客がインターネットを介して書籍を閲覧する場合に、Ｗｅｂページのスペースを有効に利用し、顧客が書籍を効率的に閲覧することができる閲覧方法に関するものである。
【背景技術】
【０００２】  顧客がインターネットを介して書籍を閲覧する場合は、大きく２つの方法に大別されていた。【０００３】  １つは、書籍名、著者、価格などのテキストが箇条書きになったものである。これは、書籍の表紙や背の情報を顧客に与えることができず、顧客は箇条書きにされたテキストから書籍の内容を判断しなければならない。【０００４】  もう１つは、書籍名、著者、価格などの他に、背表紙の画像を表示したものである。これは、書籍の表紙や背の情報を顧客に与えることはできるが、Ｗｅｂページの限られたスペースに表示するには非効率的である。
【発明の開示】
【発明が解決しようとする課題】
【０００５】  インターネットを介して書籍を閲覧する場合に、Ｗｅｂページに書籍の情報を効率的に表示するとともに、顧客が実際の書店で書籍を閲覧しているような臨場感を与える。
【課題を解決するための手段】
【０００６】  請求項１に記載の説明は、Ｗｅｂページに書籍の情報を掲載する場合に、書籍の背（せ）の画像を並べて、実際の書店のように配置し、Ｗｅｂページに表示する。書籍の背の画像部分にカーソルを合わすと、書籍のタイトル、著者、価格を含む情報が表示され、書籍の背の部分にカーソルを合わせクリックすると、該当する書籍の表紙画像、書籍のタイトル、著者、価格及びその他本の詳細を説明する情報が表示され、購入する手続きが可能なＷｅｂページに移動する。【０００７】  請求項２に記載の発明は、請求項１を実現させるための手段であり、請求項１を実現させるＷｅｂページを作成する。
【発明の効果】
【０００８】  本発明により、顧客がインターネットを介して書籍を閲覧する場合に、顧客が実際の書店で書籍を閲覧しているような臨場感を与える。【０００９】  また、１つのＷｅｂページの限られたスペースに、より多くの書籍を表示することができる。【００１０】  図１は、書籍閲覧方法の閲覧方法を示す模式図である。【００１１】  書籍ＡをＷｅｂページにおいて閲覧できるようにするには、書籍Ａの背の画像を作成する。書籍Ａの背の画像と書籍名、著者、価格、ページリンクからなるデータベースを作成する。これらの情報を表示できるＷｅｂページを作成する。【００１２】  以下に書籍Ａを本発明方法により閲覧するための手順を詳細に説明する。【００１３】  （１）書籍Ａの背の画像を作成する。
（２）書籍Ａの背の画像と書籍名、著者、価格を含む情報、書籍Ａのタイトル、著者、価格及びその他本の詳細を説明するＷｅｂページへのページリンクからなるデータベースを作成する。
（３）書籍Ａの背の画像をＷｅｂページの該当箇所に配置し、カーソルが合ったときに書籍Ａの書籍名、著者、価格を含む情報を表示する処理を作成する。また、書籍Ａの背画像をクリックしたときに、書籍Ａのタイトル、著者、価格及びその他本の詳細を説明するＷｅｂページに移動させる処理を作成する。
【産業上の利用可能性】
【００１４】  背表紙のある商品への利用の可能性がある。例えば音楽ＣＤやＤＶＤなどへの利用の可能性がある。
【図面の簡単な説明】
【００１５】
【図１】本発明である書籍閲覧方法の閲覧方法を示す模式図である。
【符号の説明】
【００１６】１  Ｗｅｂページ
２  書籍Ａ
３  書籍Ａの背（せ）画像
４  カーソル
５  書籍のタイトル、著者、価格を含む情報
６  書籍の表紙画像、書籍のタイトル、著者、価格及びその他本の詳細を説明する情報を含み、購入する手続きが可能なＷｅｂページ
【図１】
2008159011.tif 000003
(57)【要約】【課題】  電子部品の外表面のすべてから吸熱することができる水冷ヒートシンクの提供。【解決手段】  箱状の伝熱性の本体２の底面に電子部品１を載置して収納するとともに、電子部品１と本体２内の隙間をくまなく伝熱性および絶縁性を有する介装物３で充填し、底材および天井材に第１冷却部４および第２冷却部５を設ける。【選択図】        図１
2008159687.tif 000002
【特許請求の範囲】
【請求項１】
内部に電子部品(1) を収納する箱状の伝熱性の本体(2) と、その本体(2) の内部と前記電子部品(1) との間の隙間を埋める介装物(3) と、前記電子部品(1) が取付られる前記本体(2) の底材(2a)およびそれに対向する天井材(2b)に設けられ、内部に冷却水が流通する第１冷却部(4)および第２冷却部(5)と、を具備し、
前記介装物(3) は、伝熱性および絶縁性を有するものからなることを特徴とする水冷ヒートシンク。
【請求項２】
請求項１において、
前記介装物(3) が、樹脂材よりなる水冷ヒートシンク。
【請求項３】
請求項１または請求項２において、
前記本体(2) の底材(2a)および天井材(2b)と前記第１冷却部(4)および第２冷却部(5)とが一体に形成された水冷ヒートシンク。
【発明の詳細な説明】
【技術分野】
【０００１】
本発明は、パワーＩＣ等の発熱量の大きな半導体チップや半導体モジュール等の電子部品を冷却するヒートシンクに関し、特にヒートシンクが取付けられる一方の面以外の面からも吸熱できるものに関する。
【背景技術】
【０００２】
半導体チップの両面側から吸熱するヒートシンクとして、下記特許文献のものが提案されている。これは、偏平状の半導体パッケージの上下に固定型冷却器および変位型冷却器が夫々配置されたものであり、その変位型冷却器を半導体パッケージに押圧できるようにして、半導体パッケージとの密着性を向上させたものである。
【０００３】
【特許文献１】特開２００４−２９６５８９号
【発明の開示】
【発明が解決しようとする課題】
【０００４】
前記特許文献に記載された両面冷却型ヒートシンクは、構造が複雑であるとともに、対象とする半導体チップは、その上面側が偏平に形成されている必要がある。また、半導体チップの上面には通常配線がハンダ付けされ、その部分が電気的に導通する露出部であり、他の金属材を直接接触することができない部分となっているので、冷却器との絶縁が面倒である。さらには、上記のヒートシンクは半導体の上面と下面のみからの吸熱が行えるに過ぎず、側面からの吸熱は行えない。
そこで本発明は、各種形状の電子部品に普遍的に適用できるとともに、配線露出部の存在に無関係に適用できる、構造が簡単でかつ電子部品の外周のすべてから吸熱しうるヒートシンクを提供することを課題とする。
【課題を解決するための手段】
【０００５】
請求項１に記載の本発明は、内部に電子部品(1) を収納する箱状の伝熱性の本体(2) と、その本体(2) の内部と前記電子部品(1) との間の隙間を埋める介装物(3) と、前記電子部品(1) が取付られる前記本体(2) の底材(2a)およびそれに対向する天井材(2b)に設けられ、内部に冷却水が流通する第１冷却部(4)および第２冷却部(5)と、を具備し、
前記介装物(3) は、伝熱性および絶縁性を有するものからなることを特徴とする水冷ヒートシンクである。
請求項２に記載の本発明は、請求項１において、
前記介装物(3) が、樹脂材よりなる水冷ヒートシンクである。
請求項３に記載の本発明は、請求項１または請求項２において、
前記本体(2) の底材(2a)および天井材(2b)と前記第１冷却部(4)および第２冷却部(5)とが一体に形成された水冷ヒートシンクである。
【発明の効果】
【０００６】
本発明の水冷ヒートシンクは、電子部品１が取付けられた本体２の底材2aに第１冷却部４が設けられ、電子部品１の発熱を直接吸熱するとともに、それに対向する天井材2bに第２冷却部５が取付けられ、介装物３を介して電子部品１の各側面および上面外周からの発熱が効率よく吸熱される。しかも、介装物３の絶縁性により、電子部品の接続部が電気的に露出していても、支障がない。
そのため構造が簡単で安全な、冷却効果の高い水冷ヒートシンクを提供できる。
【発明を実施するための最良の形態】
【０００７】
次に図面に基づいて本発明の実施の形態につき説明する。
図１は本発明の水冷ヒートシンクの断面説明図である。
このヒートシンクはその本体２が箱状に形成され、その底部を構成する底材2aに伝熱性絶縁板10を介して電子部品１が接合される。そして、伝熱性絶縁板10に対向する上蓋を構成する天井材2bが着脱自在に取付けられ、本体２内に介装物３が隙間なく充填される。この介装物３は、伝熱性および絶縁性を有する粉体または同様の性質を有する樹脂材からなる。そして、本体２の底材2aには第１冷却部４が取り付けられ、天井材2bには第２冷却部５が配置される。なお、この本体２は好ましくはアルミニウム等の伝熱性のよい金属材により形成する。
【０００８】
また、第１冷却部４、第２冷却部５は偏平状に形成され、内部にインナーフィン６を有するとともに、その一端から他端に冷却水が流通する。このような第１冷却部４および第２冷却部５は、ろう付け等の手段により底材2a、天井材2bに接合される。そして、熱交換器７と第１冷却部４、第２冷却部５とが循環する配管９で連結される。そして、冷却水12が第１冷却部４、第２冷却部５内部に導かれると共に、それによって電子部品１の発熱を吸熱する。それらから流出した冷却水12は熱交換器７によって冷却され、再び各第１冷却部４、第２冷却部５に供給される。
【０００９】
このとき電子部品１からの発熱は直接伝熱性絶縁板10および底材2aを介し、第１冷却部４に吸熱されるとともに、介装物３を介し電子部品１の外周からの発熱が天井材2b、第２冷却部５に伝熱して吸熱される。
なお、好ましくは電子部品１と天井材2bとの間にはある程度の隙間を設け、その隙間に介装物３が充填されるようにする。それにより、電子部品１外表面と天井材2bとが接触して絶縁不良を起こすことを防止できる。
【００１０】
次に、図２に本発明の水冷ヒートシンクの他の例であり、この例が図１のそれと異なる点は、本体２の底材2aと前記第１冷却部４とが一体に形成されると共に、天井材2bと第２冷却部５とが一体に形成されたものである。このように構成することにより、コンパクトで体裁よく構造の簡単なヒートシンクを提供することができる。
【図面の簡単な説明】
【００１１】
【図１】本発明の水冷ヒートシンクの断面説明図。
【図２】本発明の水冷ヒートシンクの他の例の断面説明図。
【符号の説明】
【００１２】
１  電子部品
２  本体
2a  底材
2b  天井材
３  介装物
４  第１冷却部
５  第２冷却部
【００１３】
６  インナーフィン
７  熱交換器
８  ファン
９  配管
10  伝熱性絶縁板
11  ボルト
12  冷却水
【図１】
2008159687.tif 000003
【図２】
2008159687.tif 000004